(57)【要約】【課題】プリンタの印字障害を生じることなく、隠蔽はがき付きの印刷物を作る。【解決手段】表面紙１１、裏面紙１２を一体に積層し、郵便はがき用の本体部Ｍと、表面紙１１、裏面紙１２を剥離可能に粘着するシール部Ｓとを区画設定する。【選択図】図１
2006289806.tif 000002
【特許請求の範囲】
【請求項１】
表面紙、裏面紙を一体に積層して形成するプリンタ用紙であって、前記表面紙、裏面紙が剥離不能な郵便はがき用の本体部と、前記表面紙、裏面紙が再剥離可能なシール部とを区画設定し、該シール部は、前記本体部に表示される秘密情報を隠蔽するために、前記本体部に貼着する隠蔽シールとして前記表面紙、裏面紙の一方を使用することを特徴とするプリンタ用紙。
【請求項２】
前記シール部は、前記本体部に連接して配置し、前記表面紙側に離型処理を施すことを特徴とする請求項１記載のプリンタ用紙。
【請求項３】
前記シール部は、前記本体部から分離して配置し、前記裏面紙側に離型処理を施すことを特徴とする請求項１記載のプリンタ用紙。
【請求項４】
前記表面紙、裏面紙は、細幅の非接着部分を外周縁部に設けることを特徴とする請求項１ないし請求項３のいずれか記載のプリンタ用紙。
【発明の詳細な説明】
【技術分野】
【０００１】
この発明は、秘密情報を隠蔽し得る隠蔽はがき付きの印刷物を容易に作ることができるプリンタ用紙に関する。
【背景技術】
【０００２】
高性能の安価なプリンタが普及することにより、多くの宣伝用印刷物や通知用印刷物などがパーソナルコンピュータによって手軽に制作され、印刷されるようになって来ている。なお、これらの印刷物には、商品の注文情報や、通知に対する返信情報などを記載するために、はがき用紙を一体に組み込んで印刷することも少なくない。
【０００３】
一方、これらの注文情報や返信情報には、個人情報に属する秘密情報が含まれることがあるから、印刷物と一体のはがき用紙も、秘密情報を隠蔽し得る隠蔽はがきとすることが好ましい。たとえば、はがき用紙の一端に粘着剤付きのシール部を連接し、粘着剤を覆うようにして保護剥離紙を貼着しておくと、印刷物の受取人は、はがき用紙に所定の情報を記入した上、保護剥離紙を剥がしたシール部をはがき用紙に貼り付けることにより、はがき用紙に記入した情報を隠蔽して郵送することができる。
【発明の開示】
【発明が解決しようとする課題】
【０００４】
かかる従来技術によるときは、保護剥離紙を貼着したシール部の部分は、他の部分よりも紙厚が厚くなるため、印刷物を制作する際に、プリンタ内における給紙動作の安定性が損なわれ、印字不良を生じたり、用紙にしわが発生したりして重大な印字障害が発生しがちであるという問題があった。
【０００５】
そこで、この発明の目的は、かかる従来技術の問題に鑑み、表面紙、裏面紙を一体に積層することによって、プリンタの印字障害を生じることなく、隠蔽はがき付きの印刷物を容易に作ることができるプリンタ用紙を提供することにある。
【課題を解決するための手段】
【０００６】
かかる目的を達成するためのこの発明の構成は、表面紙、裏面紙を一体に積層して形成するプリンタ用紙であって、表面紙、裏面紙が剥離不能な郵便はがき用の本体部と、表面紙、裏面紙が再剥離可能なシール部とを区画設定し、シール部は、本体部に表示される秘密情報を隠蔽するために、本体部に貼着する隠蔽シールとして表面紙、裏面紙の一方を使用することをその要旨とする。ただし、ここでいう再剥離可能とは、本体部に対して、剥離可能に感圧接着し得ることをいう。
【０００７】
なお、シール部は、本体部に連接して配置し、表面紙側に離型処理を施すことができ、または、本体部から分離して配置し、裏面紙側に離型処理を施すことができる。
【０００８】
また、表面紙、裏面紙は、細幅の非接着部分を外周縁部に設けてもよい。
【発明の効果】
【０００９】
かかる発明の構成によるときは、本体部、シール部を包含するプリンタ用紙は、表面紙、裏面紙を一体に積層して形成され、全体の紙厚が均一であるから、プリンタにおける給紙動作が安定であり、印字障害を生じるおそれがない。なお、本体部は、郵便はがきとして使用するはがき用紙の部分であり、シール部は、表面紙、裏面紙を剥離させて分離し、その一方を粘着剤付きの隠蔽シールとして使用し、他方を粘着剤保護用の保護剥離紙として使用することができる。本体部、シール部は、それぞれ１以上の任意の枚数をプリンタ用紙内に区画設定することができる。また、本体部、シール部は、手作業による切離しを想定する場合、たとえばカット部２．５mm、タイ部１．０mmの切離し用のミシン線を介して区画することが好ましいが、表面紙、裏面紙の紙質や、プリンタの性能などにより適宜変更してもよい。なお、裁断機などの使用を想定する場合は、単なる区画位置の表示のみとしてもよい。
【００１０】
表面紙、裏面紙は、郵便はがきの重量制限２〜６ｇを考慮すると、合計重量１２５〜２１２ｇ／ｍ2 の上質紙を使用するのがよく、たとえばマットコート紙８１ｇ／ｍ2 を両者に使用するのが好適である。表面紙、裏面紙は、たとえば天然ゴム主成分の水性エマルジョン感圧性接着剤３ｇ／ｍ2 を使用して接着する。ただし、シール部以外は、感圧性接着剤を塗布した後、接着剤の固化を待たずに表面紙、裏面紙を積層して接着し、表面紙、裏面紙の層間破壊を生じる強接着を実現する。シール部は、表面紙、裏面紙の一方に離型処理することにより接着剤を投錨させず、他方のみに接着剤を投錨させることにより再剥離可能な本来の粘着性を維持することができる。なお、表面紙、裏面紙は、再剥離可能なシール部と、剥離不能なシール部以外とについて、異なる粘着剤、接着剤を使い分けて接着してもよい。
【００１１】
シール部は、本体部に連接して配置することにより、シール部の裏面紙を粘着剤付きの隠蔽シールとして使用し、表面紙を粘着剤保護用の保護剥離紙として使用することができる。そこで、シール部の表面紙は、裏面紙側の粘着剤から剥離し易いように、たとえばシリコーン系の透明インキによる離型処理を施すことが好ましい。シール部の裏面紙は、本体部の裏面紙と連続しているから、本体部の表面紙上に折り重ねるようにして貼着することにより、本体部上の秘密情報を隠蔽することができる。
【００１２】
なお、シール部の裏面紙には、隠蔽性を向上させるために、細かな連続文様をあらかじめ印刷しておくことが好ましい。また、本体部、シール部の境界部において、表面紙は、連続的なカット線を介して区画することが好ましく、裏面紙は、たとえばカット部２．０mm、タイ部１．５mmの折返し用のミシン線を介して区画することが好ましい。ただし、表面紙のカット線は、プリンタの給紙性能を考慮して必要最少限のタイ部を設け、たとえばタイ部１．０mm以下、カット部に対するタイ部の比０．１以下の切離し用のミシン線としてもよい。また、裏面紙の折返し用のミシン線は、単なる折返し用の小溝状の罫線に代えてもよく、これらの双方を省略して格別な区画を設けなくてもよい。
【００１３】
シール部は、本体部と分離して配置することにより、シール部の表面紙を粘着剤付きの隠蔽シールとして使用し、裏面紙を粘着剤保護用の保護剥離紙として使用することができる。したがって、シール部の裏面紙側には、表面紙を剥離し易いように、離型処理を施すことが好ましく、表面紙には、隠蔽性を向上させるための連続文様を印刷しておくことが好ましい。シール部の表面紙は、四周を連続的なカット線、または必要最少限のタイ部を設ける切離し用のミシン線によって区画し、裏面紙から剥離して本体部に貼着し、本体部上の秘密情報を隠蔽する。
【００１４】
表面紙、裏面紙は、感圧性接着剤を配置しない細幅の非接着部分を外周縁部に設けることにより、感圧性接着剤が周囲にはみ出したり、それによってプリンタの給紙性能が損なわれたりするおそれがない。なお、非接着部分の幅は、０．５mm程度に設定することが好ましい。
【発明を実施するための最良の形態】
【００１５】
以下、図面を以って発明の実施の形態を説明する。
【００１６】
プリンタ用紙１０は、表面紙１１、裏面紙１２を一体に積層してなる（図１）。ただし、図１（Ａ）、（Ｂ）は、それぞれ全体平面図、同図（Ａ）のＸ−Ｘ線矢視相当模式断面図である。
【００１７】
プリンタ用紙１０は、たとえばプリンタによって自動給紙可能なＡ５〜Ａ３などの規格サイズに裁断されている。プリンタ用紙１０は、区画線ＡＢ、ＣＤ、ＥＦ、ＧＨ、ＪＫを介して区画することにより、郵便はがき用の本体部Ｍと、隠蔽シール用のシール部Ｓとが区画設定されている。ただし、図１において、シール部Ｓは、本体部Ｍに連接して配置されている。
【００１８】
区画線ＡＢ、ＣＤ、ＥＦ、ＪＫは、それぞれ表面紙１１、裏面紙１２に共通の切離し用のミシン線１３である。また、区画線ＧＨは、表面紙１１側が連続的なカット線１４であり、裏面紙１２側が折返し用のミシン線１５となっている。表面紙１１、裏面紙１２は、感圧性接着剤１６を介して一体に接着されている。ただし、表面紙１１、裏面紙１２は、シール部Ｓにおいて、感圧性接着剤１６と同質または異質の粘着剤１６ａを介して再剥離可能に粘着されており、本体部Ｍを含むシール部Ｓ以外において、剥離不能に接着されている。粘着剤１６ａは、感圧性接着剤１６と同質の水性エマルジョン系であってもよく、異質であってもよい。
【００１９】
なお、シール部Ｓの表面紙１１には、離型処理１７が施され、シール部Ｓの裏面紙１２には、裏面紙１２の透光性を少なくして隠蔽性を向上させるために、図示しない細かな連続文様が印刷されている。また、表面紙１１、裏面紙１２の外周縁部には、感圧性接着剤１６を配置しない細幅の非接着部分１６ｂ、１６ｂ…が連続して残されている。なお、表面紙１１の離型処理１７は、シール部Ｓの外部に僅かにはみ出ていても構わない。連続文様は、隠蔽性を高めると同時に、粘着剤１６ａの投錨性を適切に維持するために、少なくとも紙面の５０％以上が均一に分散して露出するような細密な文様を表面紙１１、裏面紙１２の接着に先き立って裏面紙１２の粘着剤１６ａ側に印刷しておくものとする。
【００２０】
かかるプリンタ用紙１０は、そのまま図示しないプリンタに給紙し、任意の宣伝情報や通知情報などを片面または両面に印刷することにより、隠蔽はがき付きの印刷物を作ることができる。すなわち、本体部Ｍは、区画線ＡＢ、ＣＤ、ＥＦ、ＪＫの切離し用のミシン線１３、１３…を介してシール部Ｓとともにプリンタ用紙１０から切り離し、郵便はがきとして使用することができる（図２）。ただし、図２（Ａ）は、シール部Ｓの表面紙１１を除去した状態の本体部Ｍ、シール部Ｓの平面図、同図（Ｂ）は、同図（Ａ）のＹ−Ｙ線矢視相当模式断面図、同図（Ｃ）は、隠蔽はがきとして完成させた状態の模式断面図である。なお、本体部Ｍの表面には、印刷物を作る際に、郵便はがきの宛名を宛名表示部２１に印刷し、シール部Ｓの裏面紙１２を折り重ねて隠蔽し得る範囲内に、注文情報や返信情報などの秘密情報を記入する情報記入部２２を印刷するものとする。
【００２１】
そこで、情報記入部２２に所定の秘密情報を記入したら、シール部Ｓの表面紙１１を剥離して裏面紙１２上の粘着剤１６ａを露出させる（図２（Ａ）、同図（Ｂ）の矢印方向）。すなわち、シール部Ｓの表面紙１１は、裏面紙１２側の粘着剤１６ａを保護する保護剥離紙２３となっており、保護剥離紙２３は、離型処理１７を施してあるため、本体部Ｍの表面紙１１との間のカット線１４を介して容易に剥離することができる。
【００２２】
つづいて、折返し用のミシン線１５を介してシール部Ｓの裏面紙１２を本体部Ｍ上に折り返し、粘着剤１６ａを介して本体部Ｍに貼着することにより（図２（Ｃ）の二点鎖線）、裏面紙１２は、本体部Ｍの表面紙１１上の秘密情報を隠蔽する隠蔽シール２４として使用することができる。そこで、このようにして完成した隠蔽はがきをそのまま投函して郵送すればよい。隠蔽はがきの受取人は、隠蔽シール２４を剥離して秘密情報を開封することができる。
【００２３】
以上の説明において、本体部Ｍと、それに連接するシール部Ｓは、それぞれの１辺または２辺がプリンタ用紙１０の外縁に一致するようにして配置してもよく（図３（Ａ））、１枚のプリンタ用紙１０内に複数組を区画設定してもよい（同図（Ｂ）、（Ｃ））。また、シール部Ｓは、本体部Ｍより小さくするに代えて、本体部Ｍと同形同大にしてもよい（同図（Ｃ））。さらに、シール部Ｓは、本体部Ｍの短辺側、長辺側のいずれに連接させてもよい。ただし、図３（Ａ）〜（Ｃ）は、それぞれ別の実施の形態を示す図１（Ａ）相当図である。なお、本体部Ｍ、シール部Ｓを区画する表面紙１１側のカット線１４は、プリンタ内においてシール部Ｓの表面紙１１が不用意に剥離することがないように、必要最少限のタイ部を設けてもよく、このようなタイ部は、少なくともカット線１４の両端を含むように設けることが好ましい。
【他の実施の形態】
【００２４】
プリンタ用紙１０には、本体部Ｍから分離してシール部Ｓを配置することができる（図４）。ただし、図４（Ａ）、（Ｂ）は、それぞれ図１（Ａ）相当図、図４（Ａ）のＺ−Ｚ線矢視相当模式断面図である。
【００２５】
本体部Ｍは、表面紙１１、裏面紙１２に共通の切離し用のミシン線１３を介して区画されており、シール部Ｓは、表面紙１１のみに形成する四周のカット線１４を介して区画されている。また、シール部Ｓの裏面紙１２には、粘着剤１６ａの下に離型処理１７が施されており、表面紙１１の粘着剤１６ａ側には、隠蔽性を高めるための連続文様が印刷されている。そこで、シール部Ｓの表面紙１１を剥離すると、粘着剤１６ａ付きの隠蔽シール２４として、本体部Ｍに貼着して本体部Ｍ上の秘密情報を隠蔽することができる。秘密情報が本体部Ｍの表面紙１１側ではなく、裏面紙１２側に記入される場合にも対応することができる。なお、このときのカット線１４も、必要最少限のタイ部を設けることが好ましい。
【００２６】
図４において、シール部Ｓは、１枚の本体部Ｍに対して複数枚を区画設定してもよく、それぞれの大きさを揃えてもよく、互いに異ならせてもよい。本体部Ｍに記入される秘密情報の量に応じて最適の隠蔽シール２４を選択することができる。また、本体部Ｍ、シール部Ｓは、それぞれ複数枚を区画設定してもよく、プリンタ用紙１０内における配置位置も、任意に設定することができる。
【００２７】
また、以上の各実施の形態において、プリンタ用紙１０は、Ａ５〜Ａ３などの規格サイズにするに代えて、プリンタの給紙機構が許容する限り、規格外のサイズであってもよい。また、プリンタ用紙１０は、たとえばＡ４サイズごとに折畳み用のミシン線を介して連接させ、いわゆる連続フォーム形式としてもよく、折畳み用のミシン線を用いない連続ロール紙としてもよい。
【００２８】
なお、表面紙１１、裏面紙１２を接着するに先き立ってシール部Ｓの裏面紙１２または表面紙１１に印刷する連続文様は、表面紙１１、裏面紙１２の接着後、プリンタ用紙としてプリンタに給紙して、所定の宣伝情報や通知情報などとともにプリンタによってシール部Ｓの裏面紙１２または表面紙１１の外面側に印刷することも可能である。この場合の連続文様は、粘着剤１６ａの投錨性を考慮する必要がないから、隠蔽性のみに着目して、任意のイラストや文字列としてもよく、一様な全面印刷（ベタ塗り）としてもよい。
【図面の簡単な説明】
【００２９】
【図１】全体構成説明図
【図２】使用状態説明図
【図３】他の実施の形態を示す平面説明図
【図４】他の実施の形態を示す構成説明図
【符号の説明】
【００３０】
Ｍ…本体部
Ｓ…シール部
１０…プリンタ用紙
１１…表面紙
１２…裏面紙
１６ｂ…非接着部分
１７…離型処理
２４…隠蔽シール
特許出願人          福島印刷株式会社
代理人  弁理士        松  田  忠  秋
【図１】
2006289806.tif 000003
【図２】
2006289806.tif 000004
【図３】
2006289806.tif 000005
【図４】
2006289806.tif 000006